(57)【要約】【課題】建物居室からの空調排気を利用しヒートポンプ式空調機、熱源機を効率よく運転する方法【解決手段】建物居室からの排気に含まれる熱は全熱交換器をもちい再利用されることはあるが、大半は排気とともに捨てられていた。本発明は建物居室からの排熱をパッケージ型空調機、ヒートポンプ式熱源機の屋外ユニットの屋外ユニットあるいは冷却塔へ排気経路を設け、冷房時は外気温度より低い温度の排気を暖房時は外気温度より高い温度の排気をパッケージ型空調機、ヒートポンプ式熱源機の屋外ユニットあるいは冷却塔へ導くことにより運転効率を上げ、エネルギー消費量を低減する方法である。【選択図】図２
2012102987.tif 000002
【特許請求の範囲】
【請求項１】
建物居室からの空調排気に含まれる熱は全熱交換器をもちい再利用されることはあるが、大半は排気とともに捨てられていた。この排気に含まれる排熱をパッケージ型空調機、ヒートポンプ式熱源機の屋外ユニットあるいは冷却塔へ排気経路を設け、冷房時は外気温度より低い温度の排気を暖房時は外気温度より高い温度の排気をパッケージ型空調機、ヒートポンプ式熱源機の屋外ユニットあるいは冷却塔で使用することにより運転効率を上げ、エネルギー消費量を低減する方法
【請求項２】
建物からの空調排気をパッケージ型空調機の屋外ユニットに送る経路上にダンパーを設けパッケージ型空調機、ヒートポンプ式熱源機が冷房運転中、外気温度が排気温度より低いあるいは暖房運転中に外気温度が排気温度より高い場合、温度調節器で上記条件を演算し外気／排気切替ダンパーをダンパー操作器で切り替え、排気を大気中に放出し、外気をパッケージ型空調機、ヒートポンプ熱源機の屋外ユニットへ送るよう経路を変更する機構
【請求項３】
外気温度が極めて低く屋外ユニットあるいは冷却塔が過冷却となる場合は、屋外ユニットあるいは冷却塔への送風温度が一定以上となるよう温度調節器の信号によりダンパー操作器を駆動し外気温度より温度の高い排気の割合を増やすことで送風温度を上げ、屋外ユニットあるいは冷却塔に接続される装置の運転を継続できるよう制御を行う機構
【発明の詳細な説明】
【技術分野】
【０００１】本発明は空調された空間からの排熱をヒートポンプ型空調機の屋外器へと導き冷房時あるいは暖房時のヒートポンプの運転効率を改善する方法および機構に関するものである。
【背景技術】
【０００２】従来、建物居室からの排気に含まれている熱は全熱交換機により回収される方式はあるが大半は大気中に捨てられておりエネルギーの損失となっている。
【先行技術文献】
【発明の概要】
【発明が解決しようとする課題】
【０００３】大気中に捨てられている建物居室の排熱を再利用しエネルギー消費量を低減する。
【課題を解決するための手段】
【０００４】一般に夏季であれば外気より建物居室からの排気の方が温度、湿度ともに低く、冬季では高くなる、従って建物居室の排気を、パッケージ型空調機、ヒートポンプ式熱源機の屋外ユニット、あるいは冷却塔へと排気ダクトを通じて導き風量に不足があれば外気と混合して熱交換を行う。【０００５】外気による冷却、あるいは外気による加熱が有効な場合はダンパーにより排気と外気を切り替える機構を設ける。
【発明の効果】
【０００６】パッケージ型空調機、ヒートポンプ式熱源機の屋外ユニット、あるいは冷却塔へ送られる空気の温度を冷房時はより低く、暖房時はより高くできるため装置の運転効率を上げエネルギー消費を低減できる。
【図面の簡単な説明】
【０００７】
【図１】従来の建物居室内の排気とパッケージ型空調機、ヒートポンプ式熱源機の屋外ユニット、あるいは冷却塔との関係を示す説明図である。
【図２】（ａ）は建物居室内の排気をパッケージ型空調機、ヒートポンプ式熱源機の屋外ユニット、あるいは冷却塔へ送る方法を側面からみた説明図である。（ｂ）は建物居室内の排気をパッケージ型空調機、ヒートポンプ式熱源機の屋外ユニット、あるいは冷却塔へ送る方法を上面からみた説明図である。（実施例１）
【図３】（ａ）は建物居室内の排気をダンパーで切り替え、パッケージ型空調機、ヒートポンプ式熱源機の屋外ユニットへ外気を供給する時のダンパーの動きを側面から示す説明図である。（ｂ）は建物居室内の排気をダンパーで切り替え、パッケージ型空調機、ヒートポンプ式熱源機の屋外ユニットへ外気を供給する時のダンパーの動きを状面から示す図面である。（実施例２）
【発明を実施するための形態】
【０００８】建物の排気口からダクトを介してパッケージ型空調機、ヒートポンプ式熱源機の屋外ユニット、あるいは冷却塔近辺へ建物居室の空調排気を送る。
経路の途中には外気と排気の切り替えダンパーを設ける。
【実施例１】
【０００９】図２で示すように建物居室からの排気は排気ダクト２を通り、パッケージ型空調機、ヒートポンプ熱源機の屋外ユニットあるいは冷却塔１へと導かれる【００１０】導かれた建物居室からの排気は風量が不足する場合は外気と混合されパッケージ型空調機、ヒートポンプ熱源機の屋外ユニットあるいは冷却塔１周囲へ排出され必要に応じ装置の屋外ユニット、冷却塔のファンにより装置の熱交換部へと送られ熱交換の後、排出される。
【実施例２】
【００１１】外気温度が排気温度より低い状況でパッケージ型空調機、ヒートポンプ熱源機の屋外ユニットあるいは冷却塔１が冷房運転している場合は、排気熱を利用するより外気による冷却を行った方が効率がよいため外気温度検出部６と排気温度検出部５の温度差を温度調節器８で比較し外気温度の方が低い場合は、図３で示す様にダンパー操作器４で外気／排気ダ機の屋外ユニットあるいは冷却塔１へ送るよう経路を変更する。【００１２】外気温度が極めて低く屋外ユニットあるいは冷却塔が過冷却となる場合は屋外ユニットあるいは冷却塔への送風温度検出器７の温度が一定以上となるよう温度調節器８からの信号によりダンパー操作器４を駆動し外気温度より温度の高い排気の割合を増やすことで送風温度を上げ、屋外ユニットあるいは冷却塔に接続される装置の運転を継続できるよう制御を行う。【００１３】外気温度が排気温度より高い状況でパッケージ型空調機、ヒートポンプ熱源機の屋外ユニットが暖房運転している場合は、排気熱を利用するより外気により加熱を行った方が効率がよいため外気温度と排気温度の温度差を温度調節器で演算し外気温度の方が高い場合はダンパー操作器４で外気／排気切替ダンパー３を駆動し排気を外気中へ放出し、外気をパッケージ型空調機、ヒートポンプ熱源機の屋外ユニットへ送るよう経路を変更する。
【産業上の利用可能性】
【００１４】建物内居室からの排熱はセントラル空調方式の建物では大半が大気中に排出されている。一方で業務用パッケージ型空調機は広く普及しており、建物居住空間からの排気をダクトで屋外ユニットへ誘導、あるいは屋外ユニットを排気口近辺へ移設することでエネルギー効率の改善が見込める。同様の効果をヒートポンプ型熱源装置、冷却塔でも得ることが出来る。
【符号の説明】
【００１５】１  パッケージ型空調機、ヒートポンプ熱源機の屋外ユニットあるいは冷却塔
２  排気ダクト
３  外気／排気切替ダンパー
４  ダンパー操作器
５  排気温度検出器
６  外気温度検出器
７  屋外ユニットあるいは冷却塔への送風温度検出器
８  温度調節器
【図１】
2012102987.tif 000003
【図２】
2012102987.tif 000004
【図３】
2012102987.tif 000005